(57)【要約】本開示の実施例は、端末によるコアネットワークアクセス方法、基地局および端末を提供する。当該端末によるコアネットワークアクセス方法において、第１種類のコアネットワークに接続するＰＬＭＮ情報および第２種類のコアネットワークに接続するＰＬＭＮ情報を含む基地局のＰＬＭＮ指示情報を端末に送信するステップと、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、前記目標コアネットワークと前記端末とやり取りを行うことによって、前記端末が前記目標ＰＬＭＮによって前記目標コアネットワークにアクセスするようにするステップとを含む。よって、本開示の実施例の技術手段によれば、従来技術のデュアルコアネットワークのネットワークアーキテクチャにおいて、端末がネットワークにアクセスする際に、アクセス先となるコアネットワークの選択ができないという技術問題を解決する。【選択図】図４
2020529784.tif 000002
【特許請求の範囲】
【請求項１】
端末によるコアネットワークアクセス方法において、
第１種類のコアネットワークに接続するＰＬＭＮ（Ｐｕｂｌｉｃ  Ｌａｎｄ  Ｍｏｂｉｌｅ  Ｎｅｔｗｏｒｋ）情報および第２種類のコアネットワークに接続するＰＬＭＮ情報を含む基地局のＰＬＭＮ指示情報を端末に送信するステップと、
前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、
前記目標コアネットワークと前記端末とやり取りを行うことによって、前記端末が前記目標ＰＬＭＮによって前記目標コアネットワークにアクセスするようにするステップとを含む、端末によるコアネットワークアクセス方法。
【請求項２】
前記の基地局のＰＬＭＮ指示情報を端末に送信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む、請求項１に記載の方法。
【請求項３】
前記の基地局のＰＬＭＮ指示情報を端末に送信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを端末に送信することを含む、請求項１に記載の方法。
【請求項４】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項１に記載の方法。
【請求項５】
前記ＰＬＭＮ指示情報は、
各ＰＬＭＮのトラッキングエリアコードおよび／または各ＰＬＭＮのセルＩＤをさらに含む、請求項１に記載の方法。
【請求項６】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、
前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、
前記第３指示情報および前記目標ＰＬＭＮの情報に含まれる前記第２指示情報に基づいて、前記端末のアクセス先となる目標コアネットワークを特定することとを含む、請求項１に記載の方法。
【請求項７】
前記端末から報告される前記端末のサポート可能な優先ＰＬＭＮの情報および優先コアネットワークを受信することと、
前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することとをさらに含み、
前記優先コアネットワークは、第１種類のコアネットワークまたは第２種類のコアネットワークである、請求項１〜６のいずれか一項に記載の方法。
【請求項８】
端末によるコアネットワークアクセス方法において、
基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するステップと、
前記ＰＬＭＮ指示情報に基づいて、端末に整合する目標ＰＬＭＮを選択するステップと、
前記目標ＰＬＭＮの情報を前記基地局に送信するステップとを含む、端末によるコアネットワークアクセス方法。
【請求項９】
前記の基地局から送信される前記基地局のＰＬＭＮ指示情報を受信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む、請求項８に記載の方法。
【請求項１０】
前記の基地局から送信される前記基地局のＰＬＭＮ指示情報を受信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを基地局から受信することを含む、請求項８に記載の方法。
【請求項１１】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項８に記載の方法。
【請求項１２】
前記ＰＬＭＮ指示情報は、
各ＰＬＭＮのトラッキングエリアコードおよび／または各ＰＬＭＮのセルＩＤをさらに含む、請求項８に記載の方法。
【請求項１３】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記目標ＰＬＭＮの情報を前記基地局に送信するステップは、
前記第２指示情報を含む前記目標ＰＬＭＮの情報、および、前記端末が第２種類のコアネットワークにアクセスする必要があるかを指示するための第３指示情報を前記基地局に送信することを含む、請求項８に記載の方法。
【請求項１４】
前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することをさらに含み、
前記優先コアネットワークは、第１種類のコアネットワークまたは第２種類のコアネットワークである、請求項８〜１３のいずれか一項に記載の方法。
【請求項１５】
第１種類のコアネットワークに接続するＰＬＭＮ情報および第２種類のコアネットワークに接続するＰＬＭＮ情報を含む基地局のＰＬＭＮ指示情報を端末に送信するための指示情報送信モジュールと、
前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するための目標コアネットワーク特定モジュールと、
前記目標コアネットワークと前記端末とやり取りを行うことによって、前記端末が前記目標ＰＬＭＮによって前記目標コアネットワークにアクセスするようにするためのアクセスモジュールとを含む、基地局。
【請求項１６】
前記指示情報送信モジュールは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信するための第１送信ユニットを含む、請求項１５に記載の基地局。
【請求項１７】
前記指示情報送信モジュールは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを端末に送信するための第２送信ユニットを含む、請求項１５に記載の基地局。
【請求項１８】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項１５に記載の基地局。
【請求項１９】
前記ＰＬＭＮ指示情報は、
各ＰＬＭＮのトラッキングエリアコードおよび／または各ＰＬＭＮのセルＩＤをさらに含む、請求項１５に記載の基地局。
【請求項２０】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記目標コアネットワーク特定モジュールは、
前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信するための情報受信ユニットと、
前記第３指示情報および前記目標ＰＬＭＮの情報に含まれる前記第２指示情報に基づいて、前記端末のアクセス先となる目標コアネットワークを特定するための目標コアネットワーク特定ユニットとを含む、請求項１５に記載の基地局。
【請求項２１】
前記端末から報告される前記端末のサポート可能な優先ＰＬＭＮの情報および優先コアネットワークを受信するための情報受信モジュールと、
前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するように制御するための目標基地局特定モジュールとをさらに含み、
前記優先コアネットワークは、第１種類のコアネットワークまたは第２種類のコアネットワークである、請求項１５〜２０のいずれか一項に記載の基地局。
【請求項２２】
基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するための指示情報受信モジュールと、
前記ＰＬＭＮ指示情報に基づいて、端末に整合する目標ＰＬＭＮを選択するためのＰＬＭＮ選択モジュールと、
前記目標ＰＬＭＮの情報を前記基地局に送信するためのフィードバック情報送信モジュールとを含む、端末。
【請求項２３】
前記指示情報受信モジュールは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信するための第１受信ユニットを含む、請求項２２に記載の端末。
【請求項２４】
前記指示情報受信モジュールは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを基地局から受信するための第２受信ユニットを含む、請求項２２に記載の端末。
【請求項２５】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項２２に記載の端末。
【請求項２６】
前記ＰＬＭＮ指示情報は、
各ＰＬＭＮのトラッキングエリアコードおよび／または各ＰＬＭＮのセルＩＤをさらに含む、請求項２２に記載の端末。
【請求項２７】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記フィードバック情報送信モジュールは、具体的に、
前記第２指示情報を含む前記目標ＰＬＭＮの情報、および、前記端末が第２種類のコアネットワークにアクセスする必要があるかを指示するための第３指示情報を前記基地局に送信することに用いられる、請求項２２に記載の端末。
【請求項２８】
前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するための情報報告モジュールをさらに含み、
前記優先コアネットワークは、第１種類のコアネットワークまたは第２種類のコアネットワークである、請求項２２〜２７のいずれか一項に記載の端末。
【請求項２９】
第１メモリと、第１プロセッサと、前記第１メモリに記憶されて前記第１プロセッサで実行可能なコンピュータプログラムを含む基地局であって、
前記第１プロセッサが前記プログラムを実行すると、
第１種類のコアネットワークに接続するＰＬＭＮ情報および第２種類のコアネットワークに接続するＰＬＭＮ情報を含む基地局のＰＬＭＮ指示情報を端末に送信するステップと、
前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、
前記目標コアネットワークと前記端末とやり取りを行うことによって、前記端末が前記目標ＰＬＭＮによって前記目標コアネットワークにアクセスするようにするステップとが実現される、基地局。
【請求項３０】
前記の基地局のＰＬＭＮ指示情報を端末に送信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む、請求項２９に記載の基地局。
【請求項３１】
前記の基地局のＰＬＭＮ指示情報を端末に送信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを端末に送信することを含む、請求項２９に記載の基地局。
【請求項３２】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項２９に記載の基地局。
【請求項３３】
前記ＰＬＭＮ指示情報は、
各ＰＬＭＮのトラッキングエリアコードおよび／または各ＰＬＭＮのセルＩＤをさらに含む、請求項２９に記載の基地局。
【請求項３４】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、
前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、
前記第３指示情報および前記目標ＰＬＭＮの情報に含まれる前記第２指示情報に基づいて、前記端末のアクセス先となる目標コアネットワークを特定することとを含む、請求項２９に記載の基地局。
【請求項３５】
前記第１プロセッサが前記プログラムを実行すると、
前記端末から報告される前記端末のサポート可能な優先ＰＬＭＮの情報および優先コアネットワークを受信するステップと、
前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するステップとがさらに実現され、
前記優先コアネットワークは、第１種類のコアネットワークまたは第２種類のコアネットワークである、請求項２９〜３４のいずれか一項に記載の基地局。
【請求項３６】
第２メモリと、第２プロセッサと、前記第２メモリに記憶されて前記第２プロセッサで実行可能なコンピュータプログラムを含む端末であって、
前記第２プロセッサが前記プログラムを実行すると、
基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するステップと、
前記ＰＬＭＮ指示情報に基づいて、端末に整合する目標ＰＬＭＮを選択するステップと、
前記目標ＰＬＭＮの情報を前記基地局に送信するステップとが実現される、端末。
【請求項３７】
前記の基地局から送信される前記基地局のＰＬＭＮ指示情報を受信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む、請求項３６に記載の端末。
【請求項３８】
前記の基地局から送信される前記基地局のＰＬＭＮ指示情報を受信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを基地局から受信することを含む、請求項３６に記載の端末。
【請求項３９】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項３６に記載の端末。
【請求項４０】
前記ＰＬＭＮ指示情報は、
各ＰＬＭＮのトラッキングエリアコードおよび／または各ＰＬＭＮのセルＩＤをさらに含む、請求項３６に記載の端末。
【請求項４１】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記目標ＰＬＭＮの情報を前記基地局に送信するステップは、
前記第２指示情報を含む前記目標ＰＬＭＮの情報、および、前記端末が第２種類のコアネットワークにアクセスする必要があるかを指示するための第３指示情報を前記基地局に送信することを含む、請求項３６に記載の端末。
【請求項４２】
前記第２プロセッサが前記プログラムを実行すると、
前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するステップがさらに実現され、
前記優先コアネットワークは、第１種類のコアネットワークまたは第２種類のコアネットワークである、請求項３６〜４１のいずれか一項に記載の端末。
【請求項４３】
コンピュータプログラムが記憶されているコンピュータ読み取り可能な記憶媒体であって、
当該プログラムがプロセッサによって実行されると、請求項１〜７のいずれか一項に記載の端末によるコアネットワークアクセス方法が実現される、コンピュータ読み取り可能な記憶媒体。
【請求項４４】
コンピュータプログラムが記憶されているコンピュータ読み取り可能な記憶媒体であって、
当該プログラムがプロセッサによって実行されると、請求項８〜１４のいずれか一項に記載の端末によるコアネットワークアクセス方法が実現される、コンピュータ読み取り可能な記憶媒体。
【発明の詳細な説明】
【技術分野】
【０００１】
本願は、２０１７年８月３日に中国特許庁に提出された中国特許出願２０１７１０６５６７２３．０の優先権を主張し、その全ての内容が援用によりここに取り込まれる。
本開示の実施例は、通信技術分野に係り、特に端末によるコアネットワークアクセス方法、基地局および端末に係る。
【背景技術】
【０００２】
ＬＴＥ（Ｌｏｎｇ  Ｔｅｒｍ  Ｅｖｏｌｕｔｉｏｎ）システムの４Ｇから５Ｇへの移行プロセスにおいて、４Ｇのコアネットワークに接続可能であると同時に、５Ｇのコアネットワークにも接続可能な進化したＬＴＥ基地局（以下、ｅＬＴＥ基地局と称する）が存在する。
【０００３】
ｅＬＴＥのネットワークアーキテクチャ図は、以下の３種類がある。
【０００４】
種類１：４ＧのコアネットワークであるＥＰＣ（Ｅｖｏｌｖｅｄ  Ｐａｃｋｅｔ  Ｃｏｒｅ）のみに接続し、当該コアネットワークのアーキテクチャが、３６．３００のアーキテクチャに一致する。
【０００５】
ｅＮＢ（Ｅｖｏｌｖｅｄ  Ｎｏｄｅ  Ｂ）と略称する基地局からなるＥ−ＵＴＲＡＮのネットワークアーキテクチャは、図１に示されている。ｅＮＢは、アクセスネットワーク機能を完成させ、ユーザ端末ＵＥ（Ｕｓｅｒ  Ｅｑｕｉｐｍｅｎｔ）とはエアインタフェースで通信する。ＵＥとｅＮＢとは、制御プレーン接続もユーザプレーン接続も存在する。ネットワークにアタッチするＵＥごとに、１つのＭＭＥ（Ｍｏｂｉｌｉｔｙ  Ｍａｎａｇｅｍｅｎｔ  Ｅｎｔｉｔｙ）からサービスを提供する。ＭＭＥとｅＮＢとは、Ｓ１−ＭＭＥインタフェースで接続される。Ｓ１−ＭＭＥインタフェースは、移動性管理とベアラ管理機能を含んだ制御プレーンサービスをＵＥに提供する。
【０００６】
Ｓ−ＧＷ（Ｓｅｒｖｉｎｇ  ＧａｔｅＷａｙ）とｅＮＢとは、Ｓ１−Ｕインタフェースで接続される。ネットワークにアタッチするＵＥごとに、１つＳ−ＧＷからサービスを提供する。Ｓ１−Ｕインタフェースは、ユーザプレーンサービスをＵＥに提供する。ＵＥのユーザプレーンデータは、Ｓ１−ＵによってＳ−ＧＷとｅＮＢとの間で搬送されて伝送される。
【０００７】
種類２：図２に示すように、ＥＰＣと５ＧＣ（５Ｇコアネットワーク）に同時に接続可能なデュアルコアネットワークのネットワークアーキテクチャである。
【０００８】
種類３：図３に示すように、５ＧＣのみに接続するネットワークアーキテクチャである。
【０００９】
しかし、図２に示すネットワークアーキテクチでは、ｅＬＴＥ基地局が２つのコアネットワークに接続されるため、端末は、ネットワークにアクセスする際に、コアネットワークの選択が必要となる。しかし、現在、当該技術問題を解決できる明確な解決策が提案されていない。
【発明の概要】
【課題を解決するための手段】
【００１０】
本開示の実施例は、端末によるコアネットワークアクセス方法、基地局および端末を提供する。基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、従来技術のデュアルコアネットワークのネットワークアーキテクチャにおいて、端末がネットワークにアクセスする際に、アクセス先となるコアネットワークの選択ができないという技術問題を解決する。
【００１１】
第１方面において、本開示の実施例は、端末によるコアネットワークアクセス方法を提供する。当該方法において、第１種類のコアネットワークに接続するＰＬＭＮ情報および第２種類のコアネットワークに接続するＰＬＭＮ情報を含む基地局のＰＬＭＮ指示情報を端末に送信するステップと、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、前記目標コアネットワークと前記端末とやり取りを行うことによって、前記端末が前記目標ＰＬＭＮによって前記目標コアネットワークにアクセスするようにするステップとを含む。
【００１２】
本開示の１つの実行可能な実施例によれば、上記手段において、前記の基地局のＰＬＭＮ指示情報を端末に送信するステップは、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む。
【００１３】
本開示の１つの実行可能な実施例によれば、上記手段において、前記の基地局のＰＬＭＮ指示情報を端末に送信するステップは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを端末に送信することを含む。
【００１４】
本開示の１つの実行可能な実施例によれば、上記手段において、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【００１５】
本開示の１つの実行可能な実施例によれば、上記手段において、前記ＰＬＭＮ指示情報は、各ＰＬＭＮのトラッキングエリアコードおよび／または各ＰＬＭＮのセルＩＤをさらに含む。
【００１６】
本開示の１つの実行可能な実施例によれば、上記手段において、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、前記第３指示情報および前記目標ＰＬＭＮの情報に含まれる前記第２指示情報に基づいて、前記端末のアクセス先となる目標コアネットワークを特定することとを含む。
【００１７】
本開示の１つの実行可能な実施例によれば、上記手段において、前記方法では、前記端末から報告される前記端末のサポート可能な優先ＰＬＭＮの情報および優先コアネットワークを受信することと、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することとをさらに含み、前記優先コアネットワークは、第１種類のコアネットワークまたは第２種類のコアネットワークである。
【００１８】
第２方面において、本開示の実施例は、端末によるコアネットワークアクセス方法をさらに提供する。当該方法において、基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するステップと、前記ＰＬＭＮ指示情報に基づいて、端末に整合する目標ＰＬＭＮを選択するステップと、前記目標ＰＬＭＮの情報を前記基地局に送信するステップとを含む。
【００１９】
本開示の１つの実行可能な実施例によれば、上記手段において、前記の基地局から送信される前記基地局のＰＬＭＮ指示情報を受信するステップは、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む。
【００２０】
本開示の１つの実行可能な実施例によれば、上記手段において、前記の基地局から送信される前記基地局のＰＬＭＮ指示情報を受信するステップは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを基地局から受信することを含む。
【００２１】
本開示の１つの実行可能な実施例によれば、上記手段において、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【００２２】
本開示の１つの実行可能な実施例によれば、上記手段において、前記ＰＬＭＮ指示情報は、各ＰＬＭＮのトラッキングエリアコードおよび／または各ＰＬＭＮのセルＩＤをさらに含む。
【００２３】
本開示の１つの実行可能な実施例によれば、上記手段において、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記の前記目標ＰＬＭＮの情報を前記基地局に送信するステップは、前記第２指示情報を含む前記目標ＰＬＭＮの情報、および、前記端末が第２種類のコアネットワークにアクセスする必要があるかを指示するための第３指示情報を前記基地局に送信することを含む。
【００２４】
本開示の１つの実行可能な実施例によれば、上記手段において、前記方法では、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することをさらに含み、前記優先コアネットワークは、第１種類のコアネットワークまたは第２種類のコアネットワークである。
【００２５】
第３方面において、本開示の実施例は、第１種類のコアネットワークに接続するＰＬＭＮ情報および第２種類のコアネットワークに接続するＰＬＭＮ情報を含む基地局のＰＬＭＮ指示情報を端末に送信するための指示情報送信モジュールと、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するための目標コアネットワーク特定モジュールと、前記目標コアネットワークと前記端末とやり取りを行うことによって、前記端末が前記目標ＰＬＭＮによって前記目標コアネットワークにアクセスするようにするためのアクセスモジュールとを含む基地局をさらに提供する。
【００２６】
本開示の１つの実行可能な実施例によれば、上記手段において、前記指示情報送信モジュールは、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信するための第１送信ユニットを含む。
【００２７】
本開示の１つの実行可能な実施例によれば、上記手段において、前記指示情報送信モジュールは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを端末に送信するための第２送信ユニットを含む。
【００２８】
本開示の１つの実行可能な実施例によれば、上記手段において、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【００２９】
本開示の１つの実行可能な実施例によれば、上記手段において、前記ＰＬＭＮ指示情報は、各ＰＬＭＮのトラッキングエリアコードおよび／または各ＰＬＭＮのセルＩＤをさらに含む。
【００３０】
本開示の１つの実行可能な実施例によれば、上記手段において、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記目標コアネットワーク特定モジュールは、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信するための情報受信ユニットと、前記第３指示情報および前記目標ＰＬＭＮの情報に含まれる前記第２指示情報に基づいて、前記端末のアクセス先となる目標コアネットワークを特定するための目標コアネットワーク特定ユニットとを含む。
【００３１】
本開示の１つの実行可能な実施例によれば、上記手段において、前記基地局は、前記端末から報告される前記端末のサポート可能な優先ＰＬＭＮの情報および優先コアネットワークを受信するための情報受信モジュールと、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するように制御するための目標基地局特定モジュールとをさらに含み、前記優先コアネットワークは、第１種類のコアネットワークまたは第２種類のコアネットワークである。
【００３２】
第４方面において、本開示の実施例は、基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するための指示情報受信モジュールと、前記ＰＬＭＮ指示情報に基づいて、端末に整合する目標ＰＬＭＮを選択するためのＰＬＭＮ選択モジュールと、前記目標ＰＬＭＮの情報を前記基地局に送信するためのフィードバック情報送信モジュールとを含む端末をさらに提供する。
【００３３】
本開示の１つの実行可能な実施例によれば、上記手段において、前記指示情報受信モジュールは、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信するための第１受信ユニットを含む。
【００３４】
本開示の１つの実行可能な実施例によれば、上記手段において、前記指示情報受信モジュールは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを基地局から受信するための第２受信ユニットを含む。
【００３５】
本開示の１つの実行可能な実施例によれば、上記手段において、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【００３６】
本開示の１つの実行可能な実施例によれば、上記手段において、前記ＰＬＭＮ指示情報は、各ＰＬＭＮのトラッキングエリアコードおよび／または各ＰＬＭＮのセルＩＤをさらに含む。
【００３７】
本開示の１つの実行可能な実施例によれば、上記手段において、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記フィードバック情報送信モジュールは、具体的に、前記第２指示情報を含む前記目標ＰＬＭＮの情報、および、前記端末が第２種類のコアネットワークにアクセスする必要があるかを指示するための第３指示情報を前記基地局に送信することに用いられる。
【００３８】
本開示の１つの実行可能な実施例によれば、上記手段において、前記端末は、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するための情報報告モジュールをさらに含み、前記優先コアネットワークは、第１種類のコアネットワークまたは第２種類のコアネットワークである。
【００３９】
第５方面において、本開示の実施例は、第１メモリと、第１プロセッサと、前記第１メモリに記憶されて前記第１プロセッサで実行可能なコンピュータプログラムを含む基地局をさらに提供する。前記第１プロセッサが前記プログラムを実行すると、第１方面に記載の端末によるコアネットワークアクセス方法が実現される。
【００４０】
第６方面において、本開示の実施例は、第２メモリと、第２プロセッサと、前記第２メモリに記憶されて前記第２プロセッサで実行可能なコンピュータプログラムを含む端末をさらに提供する。前記第２プロセッサが前記プログラムを実行すると、第２方面に記載の端末によるコアネットワークアクセス方法が実現される。
【００４１】
第７方面において、本開示の実施例は、コンピュータプログラムが記憶されているコンピュータ読み取り可能な記憶媒体をさらに提供する。当該プログラムがプロセッサによって実行されると、第１方面に記載の端末によるコアネットワークアクセス方法が実現される。
【００４２】
第８方面において、本開示の実施例は、コンピュータプログラムが記憶されているコンピュータ読み取り可能な記憶媒体をさらに提供する。当該プログラムがプロセッサによって実行されると、第２方面に記載の端末によるコアネットワークアクセス方法が実現される。
【発明の効果】
【００４３】
本開示の実施例において、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、本開示の実施例は、従来技術のデュアルコアネットワークのネットワークアーキテクチャにおいて、端末がネットワークにアクセスする際に、アクセス先となるコアネットワークの選択ができないという技術問題を解決する。
【図面の簡単な説明】
【００４４】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提に、これらの図面から他の図面を得ることもできる。
【００４５】
【図１】従来技術におけるＥ−ＵＴＲＡＮのネットワークアーキテクチャ図である。
【図２】従来技術におけるデュアルコアネットワークのネットワークアーキテクチャ図である。
【図３】従来技術における５Ｇコアネットワークのみに接続するネットワークアーキテクチャ図である。
【図４】本開示の実施例において、基地局側の端末によるコアネットワークアクセス方法のフローチャートである。
【図５】本開示の実施例において、端末側の端末によるコアネットワークアクセス方法のフローチャートである。
【図６】本開示の実施例において、端末によるコアネットワークアクセス方法の具体的な実施図である。
【図７】本開示の実施例における基地局のモジュール図である。
【図８】本開示の実施例における端末のモジュール図である。
【図９】本開示の実施例における基地局の構造ブロック図である。
【図１０】本開示の実施例における端末の構造ブロック図である。
【発明を実施するための最良の形態】
【００４６】
本開示の解決しようとする技術課題、技術手段及び利点をより明確にするために、以下、図面および具体的な実施例を通じて詳細に記載する。以下の記載において、単に本開示の一部の実施例を全面的に理解してもらうことに役立つ目的で、具体的な構成や構成部品の特定の細部を示す。よって、ここに記載されている実施例に対し、本開示の範囲や趣旨を逸脱することなく、様々な変更や修正を行うことができることは、当業者にとって自明である。また、明確化と簡潔化を図るために、周知されている機能や構造に関する記載を省略している。
【００４７】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００４８】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００４９】
また、本文において、「システム」と「ネットワーク」は、常に互換して使用することができる。
【００５０】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００５１】
具体的に、本開示の実施例は、端末によるコアネットワークアクセス方法、基地局および端末を提供することによって、従来技術のデュアルコアネットワークのネットワークアーキテクチャにおいて、端末がネットワークにアクセスする際に、アクセス先となるコアネットワークの選択ができないという技術問題を解決する。
【００５２】
（実施例１）
図４に示すように、本開示の実施例は、端末によるコアネットワークアクセス方法を提供し、具体的に以下のステップを含む。
【００５３】
ステップ４１において、基地局のＰＬＭＮ指示情報を端末に送信する。
【００５４】
具体的に、前記ＰＬＭＮ指示情報は、第１種類のコアネットワークに接続するＰＬＭＮ情報および第２種類のコアネットワークに接続するＰＬＭＮ情報を含む。ここで、第１種類のコアネットワークに接続するＰＬＭＮと第２種類のコアネットワークに接続するＰＬＭＮとは、共通部分が存在してもよく、すなわち第１種類のコアネットワークにも接続して第２種類のコアネットワークにも接続するＰＬＭＮが存在する。また、第１種類のコアネットワークは、具体的に４Ｇコアネットワークであり、第２種類のコアネットワークは、具体的に５Ｇコアネットワークである。
【００５５】
また、ＰＬＭＮ指示情報は、具体的にブロードキャスト形式で端末に送信される。もちろん、ＰＬＭＮ指示情報の具体的な送信形式は、これに限られない。
【００５６】
また、第１種類のコアネットワークに接続するＰＬＭＮ情報および第２種類のコアネットワークに接続するＰＬＭＮ情報の具体的な送信形式は、以下の２種類の方式で行われる。
【００５７】
方式１：選択可能に、ステップ４１において、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む。
【００５８】
ここで、第１ＰＬＭＮリストは、具体的に従来のＰＬＭＮリストであり、第２ＰＬＭＮリストは、新規に追加されるＰＬＭＮリストである。すなわち、第１種類のコアネットワークに接続するＰＬＭＮの情報を従来のＰＬＭＮリストに付帯し、新規のＰＬＭＮリストを追加して第２種類のコアネットワークに接続するＰＬＭＮの情報を提供する。
【００５９】
具体的に、たとえば、基地局が複数のプロバイダに共有され、異なるプロバイダに接続されるコアネットワークが異なるとする。たとえば、ＰＬＭＮ  １は、４Ｇコアネットワークのみに接続し、ＰＬＭＮ  ２、ＰＬＭＮ  ３は、４Ｇと５Ｇの２つのコアネットワークに接続可能であり、ＰＬＭＮ  ４は、５Ｇコアネットワークのみに接続する。すると、第１ＰＬＭＮリストではＰＬＭＮ  １、ＰＬＭＮ  ２、ＰＬＭＮ  ３の情報を提供し、第２ＰＬＭＮリストでは、ＰＬＭＮ  ２、ＰＬＭＮ  ３、ＰＬＭＮ  ４の情報を提供する。
【００６０】
方式２：選択可能に、ステップ４１において、第３ＰＬＭＮリストと、前記第３ＰＬＭＮリストの第１指示情報と、第４ＰＬＭＮリストとを端末に送信することを含む。ここで、前記第３ＰＬＭＮリストは、第１種類のコアネットワークのみに接続するＰＬＭＮ情報および第１種類のコアネットワークと第２種類のコアネットワークに接続するＰＬＭＮ情報を含む。前記第１指示情報は、前記第３ＰＬＭＮリストのうちのＰＬＭＮが第２種類のコアネットワークに接続するかを指示することに用いられる。前記第４ＰＬＭＮリストは、第２種類のコアネットワークのみに接続するＰＬＭＮ情報を含む。
【００６１】
ここで、第３ＰＬＭＮリストは、具体的に従来のＰＬＭＮリストであり、第４ＰＬＭＮリストは、新規に追加されるＰＬＭＮリストである。すなわち、第１種類のコアネットワークに接続するＰＬＭＮの情報および第１種類のコアネットワークと第２種類のコアネットワークの２つのコアネットワークに接続するＰＬＭＮの情報を従来のＰＬＭＮリストに付帯し、単独のビットストリーム（ｂｉｔｍａｐ）を追加して、当該リストに対応する各ＰＬＭＮが第２種類のコアネットワークに接続するかを指示し、単独のリストを追加して、第２種類のコアネットワークのみに接続するＰＬＭＮの情報を付帯する。
【００６２】
具体的に、たとえば、基地局が複数のプロバイダに共有され、異なるプロバイダに接続されるコアネットワークが異なるとする。たとえば、ＰＬＭＮ  １は、４Ｇコアネットワークのみに接続し、ＰＬＭＮ  ２、ＰＬＭＮ  ３は、４Ｇと５Ｇの２つのコアネットワークに接続可能であり、ＰＬＭＮ  ４は、５Ｇコアネットワークのみに接続する。すると、第３ＰＬＭＮリストではＰＬＭＮ  １、ＰＬＭＮ  ２、ＰＬＭＮ  ３の情報を提供し、ｂｉｔｍａｐでは０１１を提供する。ここで、０は、５Ｇコアネットワークへの接続がサポートされないことを示し、１は、５Ｇコアネットワークへの接続もサポートされることを示す。一つ目のビットは、第３ＰＬＭＮリストのうちの一つ目のＰＬＭＮに対応し、２つ目のビットは、第３ＰＬＭＮリストのうちの２つ目のＰＬＭＮに対応し、このように類推する。第４ＰＬＭＮリストでは、５Ｇコアネットワークのみに接続するＰＬＭＮの情報、すなわちＰＬＭＮ  ４の情報を提供する。
【００６３】
また、第１種類のコアネットワークに接続するＰＬＭＮと第２種類のコアネットワークに接続するＰＬＭＮとは、共通部分が存在してもよく、すなわち第１種類のコアネットワークにも接続して第２種類のコアネットワークにも接続するＰＬＭＮが存在する。すると、デュアルコアネットワークをサポートするＰＬＭＮの場合、ＰＬＭＮ指示情報では、当該ＰＬＭＮが優先的に第２種類のコアネットワークに接続するか、それとも優先的に第１種類のコアネットワークに接続するかを指示するための特定の情報をさらに提供する。
【００６４】
すなわち、さらに、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。すなわち、「優先コアネットワーク指示情報」によって、デュアルコアネットワークをサポートするＰＬＭＮが優先的に第２種類のコアネットワークに接続するか、それとも優先的に第１種類のコアネットワークに接続するかを指示する。よって、端末は、アクセス先となるコアネットワークに基づいて、自身に整合するＰＬＭＮを選択する。
【００６５】
具体的に、たとえば、ＰＬＭＮ  ２、ＰＬＭＮ  ３は、４Ｇと５Ｇの２つのコアネットワークに接続可能であれば、さらに２ビットの情報１０を与える。１は、５Ｇコアネットワークが高い優先度であることを示し、０は、４Ｇコアネットワークが高い優先度であることを示す。１０の場合、ＰＬＭＮ  ２の５Ｇコアネットワークが高い優先度であり、ＰＬＭＮ  ３の４Ｇコアネットワークが高い優先度であることを示す。
【００６６】
さらに、前記ＰＬＭＮ指示情報は、各ＰＬＭＮのトラッキングエリアコードおよび／または各ＰＬＭＮのセルＩＤをさらに含む。すなわち、基地局は、第１種類のコアネットワークに接続するＰＬＭＮ情報および第２種類のコアネットワークに接続するＰＬＭＮ情報をブロードキャストすると同時に、各ＰＬＭＮのＴＡＣ（Ｔｒａｃｋｉｎｇ  Ａｒｅａ  Ｃｏｄｅ）および当該セルのＩＤをさらに提供する。すなわち、ＰＬＭＮによっては、これらの情報は、同じであってもよく、異なってもよいが、プロバイダの計画と配置によって決められる。ここで、各ＰＬＭＮのＴＡＣを端末にブロードキャストすることによって、端末は、ＴＡＣ範囲内で移動するのであれば、ネットワークとのやり取りを必要とせず、しかもネットワーク側からＴＡＣ範囲内で端末のページングを行うことができ、高い有効性を有する。同一セルに対し、ＰＬＭＮ毎に異なるセルＩＤを割り当てることによって、プロバイダ同士は、協商を必要とせずに互いに干渉しない。すなわち、本開示の実施例において、ネットワーク共有を十分に考慮しており、異なるプロバイダは、ほかのプロバイダとの密結合を必要とせずに、同一のｅＬＴＥ基地局を柔軟に配置して使用することができる。
【００６７】
ステップ４２において、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定する。
【００６８】
ここで、ステップ４１によって基地局のＰＬＭＮ指示情報を端末に送信すると、端末は、受信したＰＬＭＮ指示情報に基づいてＰＬＭＮ選択を行い、自身に整合する（すなわち、自身に装着されたＳＩＭカードに整合する）ＰＬＭＮを選択する。
【００６９】
具体的に、端末は、基地局のＰＬＭＮ指示情報を受信すると、そのうち、端末によって識別可能なＰＬＭＮに関連するすべての情報をＮＡＳ（Ｎｏｎ−ａｃｃｅｓｓ  ｓｔｒａｔｕｍ）に転送する。ここで、端末が従来の４Ｇ端末であれば、当該端末は、以上言及された第１ＰＬＭＮリストまたは第３ＰＬＭＮリストしか識別できず、識別できたＰＬＭＮリストから適切なＰＬＭＮを選択する。端末は、ｅＬＴＥをサポートする端末であれば、以上言及された第１ＰＬＭＮリスト、第２ＰＬＭＮリスト、デュアルコアネットワークをサポートするＰＬＭＮの優先コアネットワーク指示情報、または、第３ＰＬＭＮリスト、第３ＰＬＭＮリストの指示情報、第４ＰＬＭＮリスト、デュアルコアネットワークをサポートするＰＬＭＮの優先コアネットワーク指示情報を識別可能である。
【００７０】
ＮＡＳは、目標ＰＬＭＮを選定すると、ＡＳ（ａｃｃｅｓｓ  ｓｔｒａｔｕｍ）に通知する。ＡＳは、当該ＰＬＭＮで適切なセルを選択して滞在することによって、当該端末からアクセスを引き起こしてネットワークに接続する際に、選択した目標ＰＬＭＮの情報を基地局に送信する。
【００７１】
ここで、端末が選択した目標ＰＬＭＮでは１種類のコアネットワークしかサポートしない場合、基地局は、直接的に、目標ＰＬＭＮに基づいて、端末のアクセス先となるコアネットワークを特定することができる。
【００７２】
また、端末が選択した目標ＰＬＭＮがデュアルコアネットワークをサポートする場合、端末は、第２種類のコアネットワークにアクセスする必要があるかをさらに指示する必要がある。すなわち、端末は、目標ＰＬＭＮの情報を基地局に送信すると同時に、当該目標ＰＬＭＮにサポートされるデュアルコアネットワークのうちのどのコアネットワークにアクセスする必要があるかを、基地局に知らせる必要がある。
【００７３】
すなわち、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、前記第３指示情報および前記目標ＰＬＭＮの情報に含まれる前記第２指示情報に基づいて、前記端末のアクセス先となる目標コアネットワークを特定することとを含む。
【００７４】
よって、端末が選択した目標ＰＬＭＮがデュアルコアネットワークをサポートする場合、基地局は、受信した「第１種類のコアネットワークと第２種類のコアネットワークに接続することを前記目標ＰＬＭＮに指示するための第２指示情報」および「前記端末が第２種類のコアネットワークに接続する必要があるかを指示するための第３指示情報」に基づいて、端末のアクセス先となる目標コアネットワークが第１種類のコアネットワークであるか、それとも、第２種類のコアネットワークであるかを特定する。具体的に、第３指示情報によって、端末が第２種類のコアネットワークに接続する必要があると指示する場合、目標コアネットワークは、第２種類のコアネットワークである。第３指示情報によって、端末が第２種類のコアネットワークに接続する必要がないと指示する場合、第１種類のコアネットワークも目標ＰＬＭＮにサポートされることを第２指示情報から分かると、目標コアネットワークは、第１種類のコアネットワークである。
【００７５】
ステップ４３において、前記目標コアネットワークと前記端末とやり取りを行うことによって、前記端末が前記目標ＰＬＭＮによって前記目標コアネットワークにアクセスするようにする。
【００７６】
ステップ４２によって端末のアクセス先となる目標コアネットワークを特定すると、基地局は、目標コアネットワークおよび端末とのやり取りによって、端末が目標ＰＬＭＮによって当該目標コアネットワークにアクセスするようにする。
【００７７】
また、選択可能に、前記方法において、前記端末から報告される前記端末のサポート可能な優先ＰＬＭＮの情報および優先コアネットワークを受信することと、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することとをさらに含み、前記優先コアネットワークは、第１種類のコアネットワークまたは第２種類のコアネットワークである。
【００７８】
すなわち、端末は、ネットワークにアクセスするときまたはその後に、自身の好みのネットワーク、すなわち優先ＰＬＭＮの情報および優先コアネットワークを報告する。たとえば、ユーザは、優先ネットワークとして、あるＰＬＭＮまたは一部のＰＬＭＮの第２種類のコアネットワークに設定する。端末が現在の基地局から出ようとする場合、基地局は、端末に対し、切り替え先となる目標基地局を用意する際に、端末から報告されるユーザ好みのネットワーク情報を参照し、適切な目標基地局と目標ネットワークを選択する。当該端末の好みの目標ネットワークが目標基地局によってサポートされる場合、対応するリソースおよび構成を用意し、当該ユーザが目標コアネットワークに受け入れられるかの確認などが含まれる。目標基地局は、特定した目標ネットワークと目標セルを特定すると、関連の切り替え命令を元の基地局にフィードバックする。よって、端末は、目標基地局に切り替えられる。
【００７９】
以上の記載をまとめると、本開示の実施例は、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、本開示の実施例は、従来技術のデュアルコアネットワークのネットワークアーキテクチャにおいて、端末がネットワークにアクセスする際に、アクセス先となるコアネットワークの選択ができないという技術問題を解決する。
【００８０】
以上の記載によると、本開示の実施例において、ｅＬＴＥ基地局が２つのコアネットワークに接続されるシーンに対し解決策を提示しており、当該基地局が、従来の４Ｇ端末をサービングしてもよく、５Ｇ  ＮＡＳをサポートする進化型端末をサービングしてもよいため、進化した移行ネットワークでは多種類の仕様の端末が汎用して当該ネットワークから順調にサービスを受けることを保証する。また、本開示の実施例において、ネットワーク共有も十分に考慮されており、異なるプロバイダが、ほかのプロバイダとの密結合を必要とせずに、同一のｅＬＴＥ基地局を柔軟に配置して使用することができる。
【００８１】
（実施例２）
図５に示すように、本開示の実施例は、端末によるコアネットワークアクセス方法をさらに提供し、具体的に以下のステップを含む。
【００８２】
ステップ５１において、基地局から送信される前記基地局のＰＬＭＮ指示情報を受信する。
【００８３】
前記ＰＬＭＮ指示情報は、第１種類のコアネットワークに接続するＰＬＭＮ情報および第２種類のコアネットワークに接続するＰＬＭＮ情報を含む。ここで、第１種類のコアネットワークに接続するＰＬＭＮと第２種類のコアネットワークに接続するＰＬＭＮとは、共通部分が存在してもよく、すなわち第１種類のコアネットワークにも接続して第２種類のコアネットワークにも接続するＰＬＭＮが存在する。また、第１種類のコアネットワークは、具体的に４Ｇコアネットワークであり、第２種類のコアネットワークは、具体的に５Ｇコアネットワークである。
【００８４】
また、第１種類のコアネットワークに接続するＰＬＭＮ情報および第２種類のコアネットワークに接続するＰＬＭＮ情報の具体的な受信形式は、以下の２種類の方式で行われる。
【００８５】
方式１：選択可能に、ステップ５１において、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む。
【００８６】
ここで、第１ＰＬＭＮリストは、具体的に従来のＰＬＭＮリストであり、第２ＰＬＭＮリストは、新規に追加されるＰＬＭＮリストである。すなわち、第１種類のコアネットワークに接続するＰＬＭＮの情報を従来のＰＬＭＮリストに付帯し、新規のＰＬＭＮリストを追加して第２種類のコアネットワークに接続するＰＬＭＮの情報を提供する。
【００８７】
具体的に、たとえば、基地局が複数のプロバイダに共有され、異なるプロバイダに接続されるコアネットワークが異なるとする。たとえば、ＰＬＭＮ  １は、４Ｇコアネットワークのみに接続し、ＰＬＭＮ  ２、ＰＬＭＮ  ３は、４Ｇと５Ｇの２つのコアネットワークに接続可能であり、ＰＬＭＮ  ４は、５Ｇコアネットワークのみに接続する。すると、第１ＰＬＭＮリストではＰＬＭＮ  １、ＰＬＭＮ  ２、ＰＬＭＮ  ３の情報を提供し、第２ＰＬＭＮリストでは、ＰＬＭＮ  ２、ＰＬＭＮ  ３、ＰＬＭＮ  ４の情報を提供する。
【００８８】
方式２：選択可能に、ステップ５１において、基地局から送信される第３ＰＬＭＮリストと、前記第３ＰＬＭＮリストの第１指示情報と、第４ＰＬＭＮリストとを受信することを含む。ここで、前記第３ＰＬＭＮリストは、第１種類のコアネットワークのみに接続するＰＬＭＮ情報および第１種類のコアネットワークと第２種類のコアネットワークに接続するＰＬＭＮ情報を含む。前記第１指示情報は、前記第３ＰＬＭＮリストのうちのＰＬＭＮが第２種類のコアネットワークに接続するかを指示することに用いられる。前記第４ＰＬＭＮリストは、第２種類のコアネットワークのみに接続するＰＬＭＮ情報を含む。
【００８９】
ここで、第３ＰＬＭＮリストは、具体的に従来のＰＬＭＮリストであり、第４ＰＬＭＮリストは、新規に追加されるＰＬＭＮリストである。すなわち、第１種類のコアネットワークに接続するＰＬＭＮの情報および第１種類のコアネットワークと第２種類のコアネットワークの２つのコアネットワークに接続するＰＬＭＮの情報を従来のＰＬＭＮリストに付帯し、単独のビットマップを追加して、当該リストに対応する各ＰＬＭＮが第２種類のコアネットワークに接続するかを指示し、単独のリストを追加して、第２種類のコアネットワークのみに接続するＰＬＭＮの情報を付帯する。
【００９０】
具体的に、たとえば、基地局が複数のプロバイダに共有され、異なるプロバイダに接続されるコアネットワークが異なるとする。たとえば、ＰＬＭＮ  １は、４Ｇコアネットワークのみに接続し、ＰＬＭＮ  ２、ＰＬＭＮ  ３は、４Ｇと５Ｇの２つのコアネットワークに接続可能であり、ＰＬＭＮ  ４は、５Ｇコアネットワークのみに接続する。すると、第３ＰＬＭＮリストでは、ＰＬＭＮ  １、ＰＬＭＮ  ２、ＰＬＭＮ  ３の情報を提供し、ｂｉｔｍａｐでは、０１１を提供する。ここで、０は、５Ｇコアネットワークへの接続がサポートされないことを示し、１は、５Ｇコアネットワークへの接続もサポートされることを示す。一つ目のビットは、第３ＰＬＭＮリストのうちの一つ目のＰＬＭＮに対応し、２つ目のビットは、第３ＰＬＭＮリストのうちの２つ目のＰＬＭＮに対応し、このように類推する。第４ＰＬＭＮリストでは、５Ｇコアネットワークのみに接続するＰＬＭＮの情報、すなわちＰＬＭＮ  ４の情報を提供する。
【００９１】
また、第１種類のコアネットワークに接続するＰＬＭＮと第２種類のコアネットワークに接続するＰＬＭＮとは、共通部分が存在してもよく、すなわち第１種類のコアネットワークにも接続して第２種類のコアネットワークにも接続するＰＬＭＮが存在する。すると、デュアルコアネットワークをサポートするＰＬＭＮの場合、ＰＬＭＮ指示情報では、当該ＰＬＭＮが優先的に第２種類のコアネットワークに接続するか、それとも優先的に第１種類のコアネットワークに接続するかを指示するための特定の情報をさらに提供する。
【００９２】
すなわち、さらに、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。すなわち、「優先コアネットワーク指示情報」によって、デュアルコアネットワークをサポートするＰＬＭＮが優先的に第２種類のコアネットワークに接続するか、それとも優先的に第１種類のコアネットワークに接続するかを指示する。よって、端末は、アクセス先となるコアネットワークに基づいて、自身に整合するＰＬＭＮを選択する。
【００９３】
具体的に、たとえば、ＰＬＭＮ  ２、ＰＬＭＮ  ３は、４Ｇと５Ｇの２つのコアネットワークに接続可能であれば、さらに２ビットの情報１０を与える。１は、５Ｇコアネットワークが高い優先度であることを示し、０は、４Ｇコアネットワークが高い優先度であることを示す。１０の場合、ＰＬＭＮ  ２の５Ｇコアネットワークが高い優先度であり、ＰＬＭＮ  ３の４Ｇコアネットワークが高い優先度であることを示す。
【００９４】
さらに、前記ＰＬＭＮ指示情報は、各ＰＬＭＮのトラッキングエリアコードおよび／または各ＰＬＭＮのセルＩＤをさらに含む。すなわち、基地局は、第１種類のコアネットワークに接続するＰＬＭＮ情報および第２種類のコアネットワークに接続するＰＬＭＮ情報をブロードキャストすると同時に、各ＰＬＭＮのＴＡＣおよび当該セルのＩＤをさらに提供する。すなわち、ＰＬＭＮによっては、これらの情報は、同じであってもよく、異なってもよいが、プロバイダの計画と配置によって決められる。ここで、各ＰＬＭＮのＴＡＣを端末にブロードキャストすることによって、端末は、ＴＡＣ範囲内で移動するのであれば、ネットワークとのやり取りを必要とせず、しかもネットワーク側からＴＡＣ範囲内で端末のページングを行うことができ、高い有効性を有する。同一セルに対し、ＰＬＭＮ毎に異なるセルＩＤを割り当てることによって、プロバイダ同士は、協商を必要とせずに互いに干渉しない。すなわち、本開示の実施例において、ネットワーク共有を十分に考慮しており、異なるプロバイダが、ほかのプロバイダとの密結合を必要とせずに、同一のｅＬＴＥ基地局を柔軟に配置して使用することができる。
【００９５】
ステップ５２において、前記ＰＬＭＮ指示情報に基づいて、端末に整合する目標ＰＬＭＮを選択する。
【００９６】
ここで、ステップ５１によって基地局のＰＬＭＮ指示情報を受信すると、端末は、受信したＰＬＭＮ指示情報に基づいてＰＬＭＮ選択を行い、自身に整合する（すなわち、自身に装着されたＳＩＭカードに整合する）ＰＬＭＮを選択する。
【００９７】
具体的に、端末は、基地局のＰＬＭＮ指示情報を受信すると、そのうち、端末によって識別可能なＰＬＭＮに関連するすべての情報をＮＡＳに転送する。ここで、端末が従来の４Ｇ端末であれば、当該端末は、以上言及された第１ＰＬＭＮリストまたは第３ＰＬＭＮリストしか識別できず、識別できたＰＬＭＮリストから適切なＰＬＭＮを選択する。端末は、ｅＬＴＥをサポートする端末であれば、以上言及された第１ＰＬＭＮリスト、第２ＰＬＭＮリスト、デュアルコアネットワークをサポートするＰＬＭＮの優先コアネットワーク指示情報、または、第３ＰＬＭＮリスト、第３ＰＬＭＮリストの指示情報、第４ＰＬＭＮリスト、デュアルコアネットワークをサポートするＰＬＭＮの優先コアネットワーク指示情報を識別可能である。
【００９８】
ＮＡＳは、目標ＰＬＭＮを選定すると、ＡＳに通知する。ＡＳは、当該ＰＬＭＮで適切なセルを選択して滞在することによって、当該端末からアクセスを引き起こしてネットワークに接続する際に、選択した目標ＰＬＭＮの情報を基地局に送信する。
【００９９】
ステップ５３において、前記目標ＰＬＭＮの情報を前記基地局に送信する。
【０１００】
ここで、前記目標ＰＬＭＮの情報は、ＲＲＣ（Ｒａｄｉｏ  Ｒｅｓｏｕｒｃｅ  Ｃｏｎｔｒｏｌ）接続確立要求メッセージまたはＲＲＣ接続確立完成メッセージの付帯情報として前記基地局に送信される。
【０１０１】
また、端末が選択した目標ＰＬＭＮでは１種類のコアネットワークしかサポートしない場合、基地局は、直接的に、目標ＰＬＭＮに基づいて、端末のアクセス先となるコアネットワークを特定することができる。
【０１０２】
また、端末が選択した目標ＰＬＭＮがデュアルコアネットワークをサポートする場合、端末は、第２種類のコアネットワークにアクセスする必要があるかをさらに指示する必要がある。すなわち、端末は、目標ＰＬＭＮの情報を基地局に送信すると同時に、当該目標ＰＬＭＮにサポートされるデュアルコアネットワークのうちのどのコアネットワークにアクセスする必要があるかを、基地局に知らせる必要がある。
【０１０３】
すなわち、選択可能に、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。ステップ５３は、前記第２指示情報を含む前記目標ＰＬＭＮの情報、および、前記端末が第２種類のコアネットワークにアクセスする必要があるかを指示するための第３指示情報を前記基地局に送信することを含む。
【０１０４】
よって、端末が選択した目標ＰＬＭＮがデュアルコアネットワークをサポートする場合、基地局は、受信した「第１種類のコアネットワークと第２種類のコアネットワークに接続することを前記目標ＰＬＭＮに指示するための第２指示情報」および「前記端末が第２種類のコアネットワークに接続する必要があるかを指示するための第３指示情報」に基づいて、端末のアクセス先となる目標コアネットワークが第１種類のコアネットワークであるか、それとも、第２種類のコアネットワークであるかを特定する。具体的に、第３指示情報によって、端末が第２種類のコアネットワークに接続する必要があると指示する場合、目標コアネットワークは、第２種類のコアネットワークである。第３指示情報によって、端末が第２種類のコアネットワークに接続する必要がないと指示する場合、第１種類のコアネットワークも目標ＰＬＭＮにサポートされることを第２指示情報から分かると、目標コアネットワークは、第１種類のコアネットワークである。
【０１０５】
選択可能に、前記方法では、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することをさらに含み、前記優先コアネットワークは、第１種類のコアネットワークまたは第２種類のコアネットワークである。
【０１０６】
すなわち、端末は、ネットワークにアクセスするときまたはその後に、自身の好みのネットワーク、すなわち優先ＰＬＭＮの情報および優先コアネットワークを報告する。たとえば、ユーザは、優先ネットワークとして、あるＰＬＭＮまたは一部のＰＬＭＮの第２種類のコアネットワークに設定する。端末が現在の基地局から出ようとする場合、基地局は、端末に対し、切り替え先となる目標基地局を用意する際に、端末から報告されるユーザ好みのネットワーク情報を参照し、適切な目標基地局と目標ネットワークを選択する。当該端末の好みの目標ネットワークが目標基地局によってサポートされる場合、対応するリソースおよび構成を用意し、当該ユーザが目標コアネットワークに受け入れられるかの確認などが含まれる。目標基地局は、特定した目標ネットワークと目標セルを特定すると、関連の切り替え命令を元の基地局にフィードバックする。よって、端末は、目標基地局に切り替えられる。
【０１０７】
以上の記載をまとめると、本開示の実施例は、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、本開示の実施例は、従来技術のデュアルコアネットワークのネットワークアーキテクチャにおいて、端末がネットワークにアクセスする際に、アクセス先となるコアネットワークの選択ができないという技術問題を解決する。
【０１０８】
以上の記載によると、本開示の実施例において、ｅＬＴＥ基地局が２つのコアネットワークに接続されるシーンに対し解決策を提示しており、当該基地局が、元の４Ｇ端末をサービングしてもよく、５Ｇ  ＮＡＳをサポートする進化型端末をサービングしてもよいため、進化した移行ネットワークでは多種類の仕様の端末が汎用して当該ネットワークから順調にサービスを受けることを保証する。また、本開示の実施例において、ネットワーク共有も十分に考慮されており、異なるプロバイダが、ほかのプロバイダとの密結合を必要とせずに、同一のｅＬＴＥ基地局を柔軟に配置して使用することができる。
【０１０９】
（実施例３）
上記実施例１および実施例２によれば、本開示の実施例の端末によるコアネットワークアクセス方法は、端末と基地局との間で図６のように実行される。
【０１１０】
ステップ６１において、基地局は、ＰＬＭＮ指示情報をブロードキャスト送信する。ここで、ＰＬＭＮ指示情報は、第１種類のコアネットワークに接続するＰＬＭＮ情報および第２種類のコアネットワークに接続するＰＬＭＮ情報を含む。第１種類のコアネットワークは、４Ｇコアネットワークであり、第２種類のコアネットワークは、５Ｇコアネットワークである。
【０１１１】
ステップ６２において、端末のＮＡＳは、ＰＬＭＮ選択を行い、目標ＰＬＭＮのセルを選択して滞在するようにＡＳに通知する。
【０１１２】
ステップ６３において、ＲＲＣ接続確立プロセスにおいて、選択した目標ＰＬＭＮの情報を基地局に通知する。
【０１１３】
ステップ６４において、基地局は、端末から提供された選択済みの目標ＰＬＭＮの情報に基づいて、対応するコアネットワークとの接続を確立する。
【０１１４】
以上の記載によれば、本開示の実施例は、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、従来技術のデュアルコアネットワークのネットワークアーキテクチャにおいて、端末がネットワークにアクセスする際に、アクセス先となるコアネットワークの選択ができないという技術問題を解決する。
【０１１５】
（実施例４）
本開示の実施例は、基地局を提供する。図７に示すように、当該基地局７００は、第１種類のコアネットワークに接続するＰＬＭＮ情報および第２種類のコアネットワークに接続するＰＬＭＮ情報を含む基地局のＰＬＭＮ指示情報を端末に送信するための指示情報送信モジュール７０１と、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するための目標コアネットワーク特定モジュール７０２と、前記目標コアネットワークと前記端末とやり取りを行うことによって、前記端末が前記目標ＰＬＭＮによって前記目標コアネットワークにアクセスするようにするためのアクセスモジュール７０３とを含む。
【０１１６】
選択可能に、前記指示情報送信モジュール７０１は、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信するための第１送信ユニットを含む。
【０１１７】
選択可能に、前記指示情報送信モジュール７０１は、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを端末に送信するための第２送信ユニットを含む。
【０１１８】
選択可能に、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１１９】
選択可能に、前記ＰＬＭＮ指示情報は、各ＰＬＭＮのトラッキングエリアコードおよび／または各ＰＬＭＮのセルＩＤをさらに含む。
【０１２０】
選択可能に、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記目標コアネットワーク特定モジュール７０２は、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信するための情報受信ユニットと、前記第３指示情報および前記目標ＰＬＭＮの情報に含まれる前記第２指示情報に基づいて、前記端末のアクセス先となる目標コアネットワークを特定するための目標コアネットワーク特定ユニットとを含む。
【０１２１】
選択可能に、前記基地局７００は、前記端末から報告される前記端末のサポート可能な優先ＰＬＭＮの情報および優先コアネットワークを受信するための情報受信モジュールと、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するように制御するための目標基地局特定モジュールとをさらに含み、前記優先コアネットワークは、第１種類のコアネットワークまたは第２種類のコアネットワークである。
【０１２２】
ここで、基地局に含まれる上記モジュール及びユニットについて、各モジュール及びユニットに有する機能は、同一エンティティ機器によって実現されてもよく、異なるエンティティ機器によって実現されてもよい。
【０１２３】
以上の記載をまとめると、本開示の実施例は、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、本開示の実施例は、従来技術のデュアルコアネットワークのネットワークアーキテクチャにおいて、端末がネットワークにアクセスする際に、アクセス先となるコアネットワークの選択ができないという技術問題を解決する。
【０１２４】
（実施例５）
本開示の実施例は、端末をさらに提供する。図８に示すように、当該端末８００は、基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するための指示情報受信モジュール８０１と、前記ＰＬＭＮ指示情報に基づいて、端末に整合する目標ＰＬＭＮを選択するためのＰＬＭＮ選択モジュール８０２と、前記目標ＰＬＭＮの情報を前記基地局に送信するためのフィードバック情報送信モジュール８０３とを含む。
【０１２５】
選択可能に、前記指示情報受信モジュール８０１は、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信するための第１受信ユニットを含む。
【０１２６】
選択可能に、前記指示情報受信モジュール８０１は、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを基地局から受信するための第２受信ユニットを含む。
【０１２７】
選択可能に、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１２８】
選択可能に、前記ＰＬＭＮ指示情報は、各ＰＬＭＮのトラッキングエリアコードおよび／または各ＰＬＭＮのセルＩＤをさらに含む。
【０１２９】
選択可能に、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記フィードバック情報送信モジュール８０３は、具体的に、前記第２指示情報を含む前記目標ＰＬＭＮの情報、および、前記端末が第２種類のコアネットワークにアクセスする必要があるかを指示するための第３指示情報を前記基地局に送信することに用いられる。
【０１３０】
選択可能に、前記端末８００は、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するための情報報告モジュールをさらに含み、前記優先コアネットワークは、第１種類のコアネットワークまたは第２種類のコアネットワークである。
【０１３１】
ここで、端末に含まれる上記モジュール及びユニットについて、各モジュール及びユニットに有する機能は、同一エンティティ機器によって実現されてもよく、異なるエンティティ機器によって実現されてもよい。
【０１３２】
以上の記載をまとめると、本開示の実施例は、基地局から、第１種類のコアネットワークに接続するＰＬＭＮ情報および第２種類のコアネットワークに接続するＰＬＭＮ情報を端末に送信することによって、端末は、これらのＰＬＭＮから自身に整合する目標ＰＬＭＮを選択し、さらに、端末によって選択された目標ＰＬＭＮに基づいて、端末のアクセス先となるコアネットワークを特定する。よって、本開示の実施例は、従来技術のデュアルコアネットワークのネットワークアーキテクチャにおいて、端末がネットワークにアクセスする際に、アクセス先となるコアネットワークの選択ができないという技術問題を解決する。
【０１３３】
（実施例６）
図９に示すように、本開示の実施例は、第１メモリ９２０と、第１プロセッサ９００と、前記第１メモリ９２０に記憶されて前記第１プロセッサで実行可能なコンピュータプログラムを含む基地局を提供する。第１プロセッサ９００は、第１メモリ９２０からプログラムを読み取ることによって、基地局のＰＬＭＮ指示情報を端末に送信し、前記端末から前記ＰＬＭＮ指示情報に基づいて選択された前記端末に整合する目標ＰＬＭＮの情報を受信するように第１トランシーバ９１０を制御する。よって、第１プロセッサ９００は、前記目標ＰＬＭＮの情報に基づいて、前記端末のアクセス先となる目標コアネットワークを特定し、さらに、前記目標コアネットワークと前記端末とやり取りを行うことによって、前記端末が前記目標ＰＬＭＮによって前記目標コアネットワークにアクセスするようにする。ここで、前記ＰＬＭＮ指示情報は、第１種類のコアネットワークに接続するＰＬＭＮ情報および第２種類のコアネットワークに接続するＰＬＭＮ情報を含む。
【０１３４】
ここで、図９において、バスアーキテクチャは、任意数の相互接続するバスとブリッジを含み、具体的に、第１プロセッサ９００をはじめとする１つ又は複数のプロセッサと第１メモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ９１０は、複数の部品であってもよく、即ち送信機と受信機を含み、伝送媒体でほかの各種類の装置と通信するユニットとして提供される。第１プロセッサ９００は、バスアーキテクチャと通常の処理を管理する。第１メモリ９２０は、第１プロセッサ９００による操作実行に使用されるデータを記憶できる。
【０１３５】
ここで、第１トランシーバ９１０は、基地局のＰＬＭＮ指示情報を端末に送信する際に、具体的に、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することに用いられる。
【０１３６】
ここで、第１トランシーバ９１０は、基地局のＰＬＭＮ指示情報を端末に送信する際に、具体的に、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを端末に送信することに用いられる。
【０１３７】
ここで、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１３８】
ここで、前記ＰＬＭＮ指示情報は、各ＰＬＭＮのトラッキングエリアコードおよび／または各ＰＬＭＮのセルＩＤをさらに含む。
【０１３９】
ここで、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。すると、第１トランシーバ９１０は、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定する際に、具体的に、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、前記第３指示情報および前記目標ＰＬＭＮの情報に含まれる前記第２指示情報に基づいて、前記端末のアクセス先となる目標コアネットワークを特定することとに用いられる。
【０１４０】
ここで、第１トランシーバ９１０は、さらに、前記端末から報告される前記端末のサポート可能な優先ＰＬＭＮの情報および優先コアネットワークを受信することに用いられる。前記優先コアネットワークは、第１種類のコアネットワークまたは第２種類のコアネットワークである。よって、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することを、第１プロセッサ９００をトリガーして制御する。
【０１４１】
（実施例７）
上記目的をさらに実現するために、図１０に示すように、本開示は、第２プロセッサ１０１０と、バスインタフェース１０２０を介して前記第２プロセッサ１０１０に接続され、前記第２プロセッサ１０１０の操作実行に用いられるプログラムとデータを記憶するための第２メモリ１０３０と、バスインタフェース１０２０を介して前記第２プロセッサ１１１０に接続され、第２プロセッサ１０１０による制御でデータを送受信するための第２トランシーバ１０４０とを含む端末をさらに提供する。
【０１４２】
ここで、第２トランシーバ１０４０が基地局から送信される前記基地局のＰＬＭＮ指示情報を受信することによって、第２プロセッサ１０１０は、前記ＰＬＭＮ指示情報に基づいて、端末に整合する目標ＰＬＭＮを選択し、さらに第２トランシーバ１０４０をトリガーして前記目標ＰＬＭＮの情報を前記基地局に送信する。ここで、前記ＰＬＭＮ指示情報は、第１種類のコアネットワークに接続するＰＬＭＮ情報および第２種類のコアネットワークに接続するＰＬＭＮ情報を含む。
【０１４３】
ここで、第２トランシーバ１０４０は、前記の基地局から送信される前記基地局のＰＬＭＮ指示情報を受信する際に、具体的に、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することに用いられる。
【０１４４】
ここで、第２トランシーバ１０４０は、前記の基地局から送信される前記基地局のＰＬＭＮ指示情報を受信する際に、具体的に、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを基地局から受信することに用いられる。
【０１４５】
ここで、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１４６】
ここで、前記ＰＬＭＮ指示情報は、各ＰＬＭＮのトラッキングエリアコードおよび／または各ＰＬＭＮのセルＩＤをさらに含む。
【０１４７】
ここで、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。第２トランシーバ１０４０は、前記目標ＰＬＭＮの情報を前記基地局に送信する際に、具体的に、前記第２指示情報を含む前記目標ＰＬＭＮの情報、および、前記端末が第２種類のコアネットワークにアクセスする必要があるかを指示するための第３指示情報を前記基地局に送信することに用いられる。
【０１４８】
ここで、第２トランシーバ１０４０は、さらに、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することに用いられ、前記優先コアネットワークは、第１種類のコアネットワークまたは第２種類のコアネットワークである。
【０１４９】
なお、図１０において、バスアーキテクチャは、任意数の相互接続するバスとブリッジを含み、具体的に、第２プロセッサ１０１０をはじめとする１つ又は複数のプロセッサと第２メモリ１０３０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ１０４０は、複数の部品であってもよく、即ち送信機と受信機を含み、伝送媒体でほかの各種類の装置と通信するユニットとして提供される。ユーザ端末によっては、ユーザインタフェース１０５０は、内部接続や外部接続する機器のインタフェースであってもよい。接続する機器は、キーパッド、ディスプレイ、スピーカ、マイクロフォン、ジョイスティックなどを含むが、それらに限られない。第２プロセッサ１０１０は、バスアーキテクチャと通常の処理を管理する。第２メモリ１０３０は、第２プロセッサ１０１０による操作実行に使用されるデータを記憶できる。
【０１５０】
上記実施例を実現するすべてまたは一部のステップは、ハードウェアによって実現されてもよく、コンピュータプログラムで関連ハードウェアに指示して行ってもよい。前記のコンピュータプログラムは、上記方法の一部またはすべてのステップを実行する指令を含む。かつ当該コンピュータプログラムは、読み取り可能な記憶媒体に格納される。記憶媒体は、揮発性の記憶媒体または非揮発性の記憶媒体など、あらゆる形態の記憶媒体である。
【０１５１】
なお、本開示の装置と方法において、明らかに、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０１５２】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０１５３】
（実施例８）
本開示の実施例は、コンピュータプログラムが記憶されているコンピュータ読み取り可能な記憶媒体をさらに提供する。当該プログラムがプロセッサによって実行されると、第１種類のコアネットワークに接続するＰＬＭＮ情報および第２種類のコアネットワークに接続するＰＬＭＮ情報を含む基地局のＰＬＭＮ指示情報を端末に送信するステップと、前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、前記目標コアネットワークと前記端末とやり取りを行うことによって、前記端末が前記目標ＰＬＭＮによって前記目標コアネットワークにアクセスするようにするステップとが実現される。
【０１５４】
ここで、前記の基地局のＰＬＭＮ指示情報を端末に送信するステップは、第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む。
【０１５５】
ここで、前記の基地局のＰＬＭＮ指示情報を端末に送信するステップは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを端末に送信することを含む。
【０１５６】
ここで、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１５７】
ここで、前記ＰＬＭＮ指示情報は、各ＰＬＭＮのトラッキングエリアコードおよび／または各ＰＬＭＮのセルＩＤをさらに含む。
【０１５８】
ここで、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、前記第３指示情報および前記目標ＰＬＭＮの情報に含まれる前記第２指示情報に基づいて、前記端末のアクセス先となる目標コアネットワークを特定することとを含む。
【０１５９】
ここで、前記方法において、前記端末から報告される前記端末のサポート可能な優先ＰＬＭＮの情報および優先コアネットワークを受信するステップと、前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するステップとをさらに含み、前記優先コアネットワークは、第１種類のコアネットワークまたは第２種類のコアネットワークである。
【０１６０】
（実施例９）
本開示の実施例は、コンピュータプログラムが記憶されているコンピュータ読み取り可能な記憶媒体をさらに提供する。当該プログラムがプロセッサによって実行されると、基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するステップと、前記ＰＬＭＮ指示情報に基づいて、端末に整合する目標ＰＬＭＮを選択するステップと、前記目標ＰＬＭＮの情報を前記基地局に送信するステップとが実現される。
【０１６１】
ここで、前記の基地局から送信される前記基地局のＰＬＭＮ指示情報を受信するステップは、第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む。
【０１６２】
ここで、前記の基地局から送信される前記基地局のＰＬＭＮ指示情報を受信するステップは、第１種類のコアネットワークのみに接続するＰＬＭＮ情報および第１種類のコアネットワークと第２種類のコアネットワークに接続するＰＬＭＮ情報を含む第３ＰＬＭＮリストと、前記第３ＰＬＭＮリストのうちのＰＬＭＮが第２種類のコアネットワークに接続するかを指示するための前記第３ＰＬＭＮリストの第１指示情報と、第２種類のコアネットワークのみに接続するＰＬＭＮ情報を含む第４ＰＬＭＮリストとを基地局から受信することを含む。
【０１６３】
ここで、前記ＰＬＭＮ指示情報は、第１種類のコアネットワークと第２種類のコアネットワークに接続するＰＬＭＮの優先コアネットワークを指示するための優先コアネットワーク指示情報をさらに含み、前記優先コアネットワークは、第１種類のコアネットワークまたは第２種類のコアネットワークである。
【０１６４】
ここで、前記ＰＬＭＮ指示情報は、各ＰＬＭＮのトラッキングエリアコードおよび／または各ＰＬＭＮのセルＩＤをさらに含む。
【０１６５】
ここで、前記目標ＰＬＭＮが第１種類のコアネットワークと第２種類のコアネットワークに接続する場合、前記目標ＰＬＭＮの情報は、第１種類のコアネットワークと第２種類のコアネットワークに接続することを前記目標ＰＬＭＮに指示するための第２指示情報を含む。前記の前記目標ＰＬＭＮの情報を前記基地局に送信するステップは、前記第２指示情報を含む前記目標ＰＬＭＮの情報、および、前記端末が第２種類のコアネットワークにアクセスする必要があるかを指示するための第３指示情報を前記基地局に送信することを含む。
【０１６６】
ここで、前記方法において、前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するステップをさらに含み、前記優先コアネットワークは、第１種類のコアネットワークまたは第２種類のコアネットワークである。
【０１６７】
以上記載されたのは、本開示の好適な実施形態である。なお、当業者は、本開示に記載されている原理を逸脱せずに様々な改良や修飾をすることもできる。これらの改良や修飾も、本開示の保護範囲内にある。
【図１】
2020529784.tif 000003
【図２】
2020529784.tif 000004
【図３】
2020529784.tif 000005
【図４】
2020529784.tif 000006
【図５】
2020529784.tif 000007
【図６】
2020529784.tif 000008
【図７】
2020529784.tif 000009
【図８】
2020529784.tif 000010
【図９】
2020529784.tif 000011
【図１０】
2020529784.tif 000012
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
端末によるコアネットワークアクセス方法において、
第１種類のコアネットワークに接続するＰＬＭＮ（Ｐｕｂｌｉｃ  Ｌａｎｄ  Ｍｏｂｉｌｅ  Ｎｅｔｗｏｒｋ）情報および第２種類のコアネットワークに接続するＰＬＭＮ情報を含む基地局のＰＬＭＮ指示情報を端末に送信するステップと、
前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップと、
前記目標コアネットワークと前記端末とやり取りを行うことによって、前記端末が前記目標ＰＬＭＮによって前記目標コアネットワークにアクセスするようにするステップとを含む、端末によるコアネットワークアクセス方法。
【請求項２】
前記の基地局のＰＬＭＮ指示情報を端末に送信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを端末に送信することを含む、請求項１に記載の方法。
【請求項３】
前記の基地局のＰＬＭＮ指示情報を端末に送信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを端末に送信することを含む、請求項１に記載の方法。
【請求項４】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項１に記載の方法。
【請求項５】
前記ＰＬＭＮ指示情報は、
各ＰＬＭＮのトラッキングエリアコードおよび／または各ＰＬＭＮのセルＩＤをさらに含む、請求項１に記載の方法。
【請求項６】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するステップは、
前記端末から前記ＰＬＭＮ指示情報に基づいて選択された前記端末に整合する目標ＰＬＭＮの情報、および、前記端末が第２種類のコアネットワークに接続する必要があるかを指示するための第３指示情報を受信することと、
前記第３指示情報および前記目標ＰＬＭＮの情報に含まれる前記第２指示情報に基づいて、前記端末のアクセス先となる目標コアネットワークを特定することとを含む、請求項１に記載の方法。
【請求項７】
前記端末から報告される前記端末のサポート可能な優先ＰＬＭＮの情報および優先コアネットワークを受信することと、
前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することとをさらに含み、
前記優先コアネットワークは、第１種類のコアネットワークまたは第２種類のコアネットワークである、請求項１〜６のいずれか一項に記載の方法。
【請求項８】
端末によるコアネットワークアクセス方法において、
基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するステップと、
前記ＰＬＭＮ指示情報に基づいて、端末に整合する目標ＰＬＭＮを選択するステップと、
前記目標ＰＬＭＮの情報を前記基地局に送信するステップとを含む、端末によるコアネットワークアクセス方法。
【請求項９】
前記の基地局から送信される前記基地局のＰＬＭＮ指示情報を受信するステップは、
第１種類のコアネットワークに接続するＰＬＭＮ情報を含む第１ＰＬＭＮリストと、第２種類のコアネットワークに接続するＰＬＭＮ情報を含む第２ＰＬＭＮリストを基地局から受信することを含む、請求項８に記載の方法。
【請求項１０】
前記の基地局から送信される前記基地局のＰＬＭＮ指示情報を受信するステップは、
第１種類のコアネットワークのみに接続するＰＬＭＮ情報および第１種類のコアネットワークと第２種類のコアネットワークに接続するＰＬＭＮ情報を含む第３ＰＬＭＮリストと、
前記第３ＰＬＭＮリストのうちのＰＬＭＮが第２種類のコアネットワークに接続するかを指示するための前記第３ＰＬＭＮリストの第１指示情報と、
第２種類のコアネットワークのみに接続するＰＬＭＮ情報を含む第４ＰＬＭＮリストとを基地局から受信することを含む、請求項８に記載の方法。
【請求項１１】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項８に記載の方法。
【請求項１２】
前記ＰＬＭＮ指示情報は、
各ＰＬＭＮのトラッキングエリアコードおよび／または各ＰＬＭＮのセルＩＤをさらに含む、請求項８に記載の方法。
【請求項１３】
前記目標ＰＬＭＮが第１種類のコアネットワークと第２種類のコアネットワークに接続する場合、前記目標ＰＬＭＮの情報は、
第１種類のコアネットワークと第２種類のコアネットワークに接続することを前記目標ＰＬＭＮに指示するための第２指示情報を含み、
前記の前記目標ＰＬＭＮの情報を前記基地局に送信するステップは、
前記第２指示情報を含む前記目標ＰＬＭＮの情報、および、前記端末が第２種類のコアネットワークにアクセスする必要があるかを指示するための第３指示情報を前記基地局に送信することを含み、
前記方法は、
前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知することをさらに含み、
前記優先コアネットワークは、第１種類のコアネットワークまたは第２種類のコアネットワークである、請求項８に記載の方法。
【請求項１４】
第１種類のコアネットワークに接続するＰＬＭＮ情報および第２種類のコアネットワークに接続するＰＬＭＮ情報を含む基地局のＰＬＭＮ指示情報を端末に送信するための指示情報送信モジュールと、
前記端末から前記ＰＬＭＮ指示情報に基づいて選択された前記端末に整合する目標ＰＬＭＮの情報を受信し、前記目標ＰＬＭＮの情報に基づいて、前記端末のアクセス先となる目標コアネットワークを特定するための目標コアネットワーク特定モジュールと、
前記目標コアネットワークと前記端末とやり取りを行うことによって、前記端末が前記目標ＰＬＭＮによって前記目標コアネットワークにアクセスするようにするためのアクセスモジュールとを含む、基地局。
【請求項１５】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項１４に記載の基地局。
【請求項１６】
前記端末から報告される前記端末のサポート可能な優先ＰＬＭＮの情報および優先コアネットワークを受信するための情報受信モジュールと、
前記端末が前記基地局を出た場合、前記基地局が、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するように制御するための目標基地局特定モジュールとをさらに含み、
前記優先コアネットワークは、第１種類のコアネットワークまたは第２種類のコアネットワークである、請求項１４に記載の基地局。
【請求項１７】
基地局から送信される前記基地局のＰＬＭＮ指示情報であって、第１種類のコアネットワークに接続するＰＬＭＮ情報および第２種類のコアネットワークに接続するＰＬＭＮ情報を含むＰＬＭＮ指示情報を受信するための指示情報受信モジュールと、
前記ＰＬＭＮ指示情報に基づいて、端末に整合する目標ＰＬＭＮを選択するためのＰＬＭＮ選択モジュールと、
前記目標ＰＬＭＮの情報を前記基地局に送信するためのフィードバック情報送信モジュールとを含む、端末。
【請求項１８】
前記ＰＬＭＮ指示情報は、
第１種類のコアネットワークと第２種類のコアネットワークに接続するＰＬＭＮの優先コアネットワークを指示するための優先コアネットワーク指示情報をさらに含み、
前記優先コアネットワークは、第１種類のコアネットワークまたは第２種類のコアネットワークである、請求項１７に記載の端末。
【請求項１９】
前記端末のサポート可能な優先ＰＬＭＮの情報および優先コアネットワークを前記基地局に報告することによって、前記端末が前記基地局を出た場合、前記基地局が、前記端末に対し、前記優先ＰＬＭＮと前記優先コアネットワークをサポートする目標基地局を選択し、前記端末が前記目標基地局に切り替えられるよう、前記端末に対しリソース構成を行うことを前記目標基地局に通知するための情報報告モジュールをさらに含み、
前記優先コアネットワークは、第１種類のコアネットワークまたは第２種類のコアネットワークである、請求項１７に記載の端末。
【国際調査報告】
2020529784.tif 000013
2020529784.tif 000014
2020529784.tif 000015
2020529784.tif 000016